(57)【要約】【課題】採光レンズフィルムと被着体との密着力を向上させる。【解決手段】採光レンズフィルム４は、光を透過する被着体３に粘着剤７を介して貼付され、透明な基材部９と、基材部９の一方の面上に、繰り返し配列される複数の凸条部８とを備え、凸条部８は、先細りの断面形状であり、凸条部８の先端には、被着体３に対する密着力を強化する密着力強化部Ｆが設けられており、密着力強化部Ｆは、凸条部８の先端に設けられた複数の凹部８ｂであることを特徴とする。【選択図】図２
2020060669.tif 000002
【特許請求の範囲】
【請求項１】
光を透過する被着体に粘着剤を介して貼付される採光レンズフィルムであって、
透明な基材部と、
前記基材部の一方の面上に、繰り返し配列される複数の凸条部とを備え、
前記凸条部は、先細りの断面形状であり、
前記凸条部の先端には、前記被着体に対する密着力を強化する密着力強化部が設けられていること、
を特徴とする採光レンズフィルム。
【請求項２】
請求項１に記載の採光レンズフィルムにおいて、
前記密着力強化部は、前記凸条部の先端に設けられた複数の凹部であること、
を特徴とする採光レンズフィルム。
【請求項３】
請求項２に記載の採光レンズフィルムにおいて、
前記凹部が、前記凸条部の配列方向に、複数形成されていること、
を特徴とする採光レンズフィルム。
【請求項４】
請求項２又は請求項３に記載の採光レンズフィルムにおいて、
前記凹部が、前記凸条部の配列方向に交差する方向に、複数形成されていること、
を特徴とする採光レンズフィルム。
【請求項５】
請求項１に記載の採光レンズフィルムにおいて、
前記密着力強化部は、前記凸条部の先端に設けられた平坦部であること、
を特徴とする採光レンズフィルム。
【請求項６】
請求項５に記載の採光レンズフィルムにおいて、
前記平坦部は、前記凸条部の配列方向における幅が、前記凸条部の配列ピッチの５％以上５０％以下により形成されていること、
を特徴とする採光レンズフィルム。
【請求項７】
請求項５又は請求項６に記載の採光レンズフィルムにおいて、
前記平坦部には、前記凸条部の配列方向に交差する方向に、複数の凹部が形成されていること、
を特徴とする採光レンズフィルム。
【請求項８】
請求項１から請求項７までのいずれか１項に記載の前記採光レンズフィルムと、
前記採光レンズフィルムの凸条部側に配置され、前記採光レンズフィルム側の面に粘着層が設けられたカバーフィルムと
を備える採光フィルム。
【発明の詳細な説明】
【技術分野】
【０００１】
本発明は、窓ガラス等に張り付けて外光を屋内に導く採光用のフィルムに関する。
【背景技術】
【０００２】
従来、窓ガラス等に貼り付けて外光を屋内に導く採光フィルムに関する工夫が提案されている（特許文献１）。
ここで採光フィルムに用いられる採光レンズフィルムは、先細りの断面形状による凸条部が透明フィルム材による基材部上に繰り返し形成され、この凸条部により斜めに傾いた反射面が基材部の表面に繰り返し形成されることによって作成される。
採光フィルムは、採光レンズフィルムと対向するように、粘着剤層を備えた透明フィルム材によるカバーフィルムが採光レンズフィルムの凸条部側に配置され、これによりカバーフィルムにより凸条部を保護するようにして、採光レンズフィルムとカバーフィルムとが一体化されて作成される。
採光フィルムは、例えば窓ガラス等に、粘着剤等により貼り付けて保持され、これにより窓ガラスに直接入射する太陽光等の外光を凸条部による反射面で反射して屋内に導く。
【先行技術文献】
【特許文献】
【０００３】
【特許文献１】特表２０１７−５３４９１５号
【発明の概要】
【発明が解決しようとする課題】
【０００４】
ところでこの種の採光フィルムは、上述したように、粘着剤層により凸条部の先端がカバーフィルムに貼り付けられて、採光レンズフィルムがカバーフィルムに保持されている。また、採光レンズフィルムを直接、窓ガラス等に貼付される場合においても、粘着剤層により凸条部の先端が窓ガラスに貼り付けられて、採光レンズフィルムが窓ガラスに保持されている。
そのため、従来の採光レンズフィルムは、被着体であるカバーフィルムや、窓ガラスから剥離し易くなるという問題があった。
【０００５】
本発明はこのような状況に鑑みてなされたものであり、採光レンズフィルムと被着体との密着力を向上させること、を目的とする。
【課題を解決するための手段】
【０００６】
本発明者は、上記課題を解決するために鋭意研究を重ね、凸条部の先端に、カバーフィルム等の被着体に対する採光レンズフィルムの密着力を強化する密着力強化部を設ける、との着想に至り、本発明を完成するに至った。
【０００７】
具体的には、本発明では、以下のようなものを提供する。
【０００８】
（１）  光を透過する被着体に粘着剤を介して貼付される採光レンズフィルムであって、
透明な基材部と、
前記基材部の一方の面上に、繰り返し配列される複数の凸条部とを備え、
前記凸条部は、先細りの断面形状であり、
前記凸条部の先端には、前記被着体に対する密着力を強化する密着力強化部が設けられていること、
を特徴とする採光レンズフィルム。
【０００９】
（１）によれば、凸条部の先端に、被着体に対する採光レンズフィルムの密着力を強化する密着力強化部を備えることにより、被着体に対する採光レンズフィルムの密着力を向上させることができる。
【００１０】
（２）  （１）において、
前記密着力強化部は、前記凸条部の先端に設けられた複数の凹部である。
【００１１】
（２）によれば、凸条部の先端に凹部を複数形成することにより凸条部の先端を３以上の頂部を設けることができ、また、粘着剤の一部を複数の凹部内を入り込ませることができるので、より具体的な態様により、被着体に対する採光レンズフィルムの密着力を向上させることができる。
【００１２】
（３）  （２）において、
前記凹部が、前記凸条部の配列方向に、複数形成されている。
【００１３】
（４）  （２）又は（３）において、
前記凹部が、前記凸条部の配列方向に交差する方向に、複数形成されている。
【００１４】
（３）、（４）によれば、より具体的構成により、被着体に対する採光レンズフィルムの密着力を更に向上させることができる。
【００１５】
（５）  （１）において、
前記密着力強化部は、前記凸条部の先端に設けられた平坦部である。
【００１６】
（５）によれば、平坦部により、粘着剤と採光レンズフィルムとの接触面積を広くすることができ、被着体に対する採光レンズフィルムの密着力を向上させることができる。
【００１７】
（６）  （５）において、
前記平坦部は、前記凸条部の配列方向における幅が、前記凸条部の配列ピッチの５％以上５０％以下により形成されている。
【００１８】
（６）によれば、平坦部の幅を規定することにより、採光レンズフィルムの採光性能と、被着体との密着力と両立させることができる。
【００１９】
（７）  （５）又は（６）において、
前記平坦部には、前記凸条部の配列方向に交差する方向に、複数の凹部が形成されている。
【００２０】
（７）によれば、より具体的構成により、凹部を複数形成することにより凸条部の先端を３以上の頂部を設けることができ、また、粘着剤の一部を複数の凹部内を入り込ませることができるので、より具体的な態様により、被着体に対する採光レンズフィルムの密着力を向上させることができる。
【００２１】
（８）  （１）から（７）までのいずれかの前記採光レンズフィルムと、
前記採光レンズフィルムの凸条部側に配置され、前記採光レンズフィルム側の面に粘着層が設けられたカバーフィルムと
を備える採光フィルム。
【００２２】
（８）によれば、凸条部の先端に、カバーフィルムに対する採光レンズフィルムの密着力を強化する密着力強化部を備えることにより、カバーフィルムに対する採光レンズフィルムの密着力を向上させることができる。
【発明の効果】
【００２３】
本発明によれば、従来に比してカバーフィルム等の被着体に対する採光レンズフィルムの密着力を向上することができる。
【図面の簡単な説明】
【００２４】
【図１】本発明の第１実施形態に係る採光レンズフィルム、採光フィルムを示す図である。
【図２】図１の採光レンズフィルム、採光フィルムにおける凸条部の先端形状を説明する図である。
【図３】本発明の第２実施形態に係る採光レンズフィルム、採光フィルムについて、凸条部の先端形状を説明する図である。
【図４】本発明の第３実施形態に係る採光レンズフィルム、採光フィルムについて、凸条部の先端形状を説明する図である。
【発明を実施するための形態】
【００２５】
〔第１実施形態〕
図１は、本実施形態に係る採光レンズフィルム、採光フィルムを示す図である。
図１（Ａ）は、採光フィルムの厚み方向（Ｚ方向）に平行であって、後述の凸条部８が延在する方向（左右方向、Ｘ方向）に平行な面（ＸＺ面）における断面図であり、図１（Ｂ）は、採光フィルムの厚み方向（Ｚ方向）に平行であって、凸条部８の配列方向（上下方向、Ｙ方向）に平行な面における断面図である。
図２は、図１の採光レンズフィルム、採光フィルムにおける凸条部の先端形状を説明する図であり、図１（Ｂ）のＡ部詳細を示す図である。
ここで、理解を容易にするために、図１を含め以下に示す各図において、適宜、ＸＹＺ直交座標系を設けて示している。この座標系では、採光レンズフィルムの左右方向をＸ方向、上下方向をＹ方向とし、厚み方向をＺ方向とする。採光レンズフィルムの面内方向は、ＸＹ面に平行であり、厚み方向（Ｚ方向）は、面内方向に直交する。
【００２６】
この採光フィルム１は、セパレータフィルム２を剥離して露出する粘着剤層５により窓ガラス等に貼り付けて配置される。採光フィルム１（採光レンズフィルム４）は、このようにして配置されることにより、窓ガラスを透過して入射する入射光の光路を折り曲げて屋内に導き、これにより屋内を明るくすることができる。
【００２７】
採光フィルム１は、カバーフィルム３と採光レンズフィルム４とを一体化して形成される。
カバーフィルム３は、透明フィルム材６の一方の側の面に粘着剤層５、セパレータフィルム２が順次配置され、他方の面に粘着剤層７が配置される。
ここで透明フィルム材６は、ポリエチレンテレフタレート（ＰＥＴ）樹脂による透明フィルム材等、この種の構成に適用可能な各種の透明フィルム材を広く適用することができる。
また粘着剤層５、７は、例えば、アクリル系粘着剤、シリコン系粘着剤等、この種のフィルム材に適用可能な構成を広く適用することができる。
カバーフィルム３は、粘着剤層７側が、採光レンズフィルム４の凸条部８（後述する）が形成された側の面に積層され、押圧されることにより、採光レンズフィルム４と一体化され、採光レンズフィルム４の凸条部８を保護する。
【００２８】
採光レンズフィルム４は、透明フィルム材による基材部９の一方の側の面に、光散乱層１０が形成され、他方の側の面に複数の凸条部８が形成される。
基材部９は、採光レンズフィルム４の基材となる部分であり、ポリエチレンテレフタレート（ＰＥＴ）樹脂による透明フィルム材等、この種の構成に適用可能な各種の透明フィルム材を広く適用することができる。
光散乱層１０は、入射した光を散乱させる層であり、この採光フィルム１（採光レンズフィルム４）を目視した際の眩しさ（グレア）を防止するために設けられる。光散乱層１０は、基材部９の表面の粗面化処理や、光散乱性を有する拡散剤を含有した塗膜を形成する等、種々の手法により作成することができる。
【００２９】
凸条部８は、図１（Ｂ）の断面において、基材部９から離れるにつれて細くなる先細りの断面形状に形成され、上下方向（Ｙ方向）に繰り返し配列されており、また、図１（Ａ）に示すように、左右方向（Ｘ方向）に延長するように形成されている。本実施形態では、凸条部８は、図１（Ｂ）の断面において、略三角形状の断面形状に形成されている。
これにより採光レンズフィルム４は、この凸条部８の先細りを形成する斜面（側面）８ａによって入射光を反射することができ、入射光の光路を折り曲げて屋内側に出射することができる。
【００３０】
ここで、この実施形態では、上述のように、断面形状が略三角形形状であるものの、必要とする入射光を反射する特性に応じて種々に断面形状を設定することができる。例えば、凸条部８の先細りの断面形状は、この実施形態の断面三角形形状に係る一辺の直線形状に代えて、折れ線形状や、曲線形状により形成したり、先端に凹部８ｂ（後述する）が形成されていない（頂部が１つの）三角形状にしたり、その他、台形や多角形形状に形成されるようにしたりしてもよい。
また、凸条部８は、図１の例では、密接して順次配置されている例で示したが、これに限定されるものでなく、一定の間隔で隣接する凸条部８を隔てるようにして配置してもよい。
【００３１】
なお、凸条部８は、例えば、紫外線硬化性樹脂等を使用して基材部９上に作成してもよく、また、基材部９に係る透明フィルム材を金型に押し付けて、その透明フィルム材を局所的に熱変形させることによって作成されるようにしてもよい。
【００３２】
凸条部８の先端には、カバーフィルム３に対する採光レンズフィルム４の密着力を強化する密着力強化部Ｆが設けられている。
これにより、採光レンズフィルム４は、粘着剤層７との密着力を強化することができ、その結果、採光レンズフィルム４がカバーフィルム３から剥離し難くすることができる。
【００３３】
より具体的に、本実施形態の密着力強化部Ｆは、図２に示すように、凸条部８の先端に設けられた複数の凹部８ｂである。この凹部８ｂは、凸条部８の配列方向（上下方向、Ｙ方向）に複数（図２の例では４つ）形成されている。また、凹部８ｂは、凸条部８の先端において溝状に左右方向（Ｘ方向）に延長するように形成されている。そのため、凸条部８の先端には、３以上の頂部８ｃ（図２の例では５つの頂部８ｃ）が形成される。
これにより、採光レンズフィルム４は、カバーフィルム３に押圧して貼付された場合に、粘着剤層７の粘着剤が凸条部８の各凹部８ｂ内にも入り込み、凸条部８の先端と粘着剤層７との接触面積を大幅に増やすことができ、採光レンズフィルム４と、被着体であるカバーフィルム３との密着力を向上させることができる。
また、押圧力が弱く、凹部８ｂに粘着剤層７の粘着剤が充分に入り込んでいない場合であっても、複数の頂部８ｃが粘着剤層７に接触することになり、又は、粘着剤層７に食い込むことになる。これにより、凹部８ｂに粘着剤層７の粘着剤が充分に入り込んでいない場合であっても、採光レンズフィルム４と被着体であるカバーフィルム３との密着力を向上することができる。
【００３４】
この実施形態において、凸条部８は、この凹部８ｂが溝状に左右方向（Ｘ方向）に延長するように形成される例で説明したが、これに限定されるものでなく、凹部８ｂが左右方向（Ｘ方向）の途中で途切れるように形成されるようにしてもよく、種々の形態を広く適用することができる。
また、この凸条部８に形成された凹部８ｂは、図２の断面図において、基材部９側に向かうにつれて開口部が狭くなる略三角形形状により形成される例を示したが、これに限定されるものでなく、矩形形状や、多角形状等により形成されるようにしてもよい。
更に、複数の凹部８ｂは、同一形状、同一の大きさにより作成してもよく、個々が相違する形状、相違する大きさにより作成されるようにしてもよい。
【００３５】
〔第２実施形態〕
図３は、本発明の第２実施形態に係る採光レンズフィルム、採光フィルムについて、凸条部の先端形状を説明する図である。図３は、凸条部２８の頂部（先端部）を通過し、厚み方向（Ｚ方向）及び左右方向（Ｘ方向）に平行な断面（ＸＺ面）における断面図であり、図１（Ａ）のＢ部に対応する図である。
第２実施形態の採光フィルム２１は、採光レンズフィルム２４の凸条部２８の形態が相違する点以外は、前述の第１実施形態の採光フィルム１と同様の構成である。したがって、第１実施形態と同様の機能を果たす部分には、同一の符号又は末尾に同一の符号を付して、重複する説明を適宜省略する。
【００３６】
本実施形態の採光レンズフィルム２４の凸条部２８は、上述の第１実施形態の凸条部８と同様に、基材部９から離れるにつれて細くなる先細りの断面形状により左右方向（Ｘ方向）に延長するように形成され、さらに上下方向（Ｙ方向）に繰り返し作成される（図１参照）。
凸条部２８の先端には、カバーフィルム３に対する採光レンズフィルム２４の密着力を強化する密着力強化部Ｆが設けられている。
これにより、採光レンズフィルム２４は、粘着剤層７との密着力を強化することができ、その結果、採光レンズフィルム２４が被着体であるカバーフィルム３から剥離し難くすることができる。
【００３７】
より具体的に、本実施形態の密着力強化部Ｆは、図３に示すように、凸条部２８の先端に設けられた複数の凹部２８ｂである。この凹部２８ｂは、凸条部２８の配列方向（Ｙ方向）に直交する方向であって、採光レンズフィルムの厚み方向（Ｚ方向）に直交する方向、すなわち凸条部２８の延在する方向（左右方向、Ｘ方向）に複数形成されている。そのため、凸条部２８の先端には、複数の頂部２８ｃが形成される。
これにより、採光レンズフィルム２４は、カバーフィルム３に押圧して貼付された場合に、粘着剤層７の粘着剤が凸条部２８の各凹部２８ｂ内にも入り込み、凸条部２８の先端と粘着剤層７との接触面積を大幅に増やすことができ、採光レンズフィルム２４と、被着体であるカバーフィルム３との密着力を向上させることができる。
【００３８】
この凸条部２８は、図３の断面図において、凹部２８ｂが基材部９側に向かうにつれて開口部が狭くなる三角形形状により形成される例を示したが、これに限定されるものでなく、矩形形状や、多角形状等により形成されるようにしてもよい。
また、複数の凹部２８ｂは、同一形状、同一の大きさにより作成してもよく、個々が相違する形状、相違する大きさにより作成されるようにしてもよい。
【００３９】
更に、凹部２８ｂは、この図３に示すように、凸条部２８の延在する方向（Ｘ方向）に、途切れることなく繰り返し配置してもよく、隣接する凹部２８ｂを一定の間隔で配置してもよい。また、繰り返し凹部２８ｂを配置した区間と、何ら凹部２８ｂを配置していない区間とが交互に繰り返すようにしてもよい。
【００４０】
なお、本実施形態の凸条部２８は、図１（Ｂ）に示す断面（ＹＺ断面）においては、第１実施形態の凹部８ｂに対応する凹部が形成されていない例で説明したが、これに限定されるものでなく、本実施形態の凹部２８ｂに加え、第１実施形態の凹部８ｂ、すなわち凸条部２８のＹＺ断面において、凸条部２８の先端に、凸条部２８の配列方向（Ｙ方向）に配列する複数の凹部を備えるようにしてもよい。これにより、採光レンズフィルム２４の凸条部２８と、カバーフィルム３の粘着剤層７との接触面積をより広くすることができ、採光レンズフィルム２４と、被着体であるカバーフィルム３との密着力を更に向上させることができる。
【００４１】
〔第３実施形態〕
図４は、本発明の第３実施形態に係る採光レンズフィルム、採光フィルムについて、凸条部の先端形状を説明する図である。図４は、採光レンズフィルムの厚み方向（Ｚ方向）及び上下方向（Ｙ方向）に平行な断面（ＹＺ面）における断面図であり、図１（Ａ）のＣ部に対応する図である。
第３実施形態の採光フィルム３１は、採光レンズフィルム３４の凸条部３８の形態が相違する点以外は、前述の第１実施形態の採光フィルム１と同様の構成である。したがって、第１実施形態と同様の機能を果たす部分には、同一の符号又は末尾に同一の符号を付して、重複する説明を適宜省略する。
【００４２】
本実施形態の採光レンズフィルム３４の凸条部３８は、上述の第１実施形態の凸条部８と同様に、基材部９から離れるにつれて細くなる先細りの断面形状により左右方向（Ｘ方向）に延長するように形成され、さらに上下方向（Ｙ方向）に繰り返し作成される（図１参照）。
凸条部３８の先端には、カバーフィルム３に対する採光レンズフィルム３４の密着力を強化する密着力強化部Ｆが設けられている。
これにより、採光レンズフィルム３４は、粘着剤層７との密着力を強化することができ、その結果、採光レンズフィルム３４が被着体であるカバーフィルム３から剥離し難くすることができる。
【００４３】
より具体的に、本実施形態の密着力強化部Ｆは、図４に示すように、凸条部３８の先端に設けられた平坦部３８ｂである。すなわち、本実施形態の凸条部３８は、図４の断面において、略台形形状に形成されており、上底（ただし上底＜下底）に対応する面が平坦部３８ｂとなる。この平坦部３８ｂは、カバーフィルム３の粘着剤層７に対向するようにして形成されている。この平坦部３８ｂは、上下方向（Ｙ方向）及び左右方向（Ｘ方向）に平行な面（ＸＹ面）に略平行に形成されている。
これにより、採光レンズフィルム３４は、カバーフィルム３に押圧して貼付された場合に、粘着剤層７の粘着剤が平坦部３８ｂに接触し、凸条部３８と粘着剤層７との接触面積を大幅に増やすことができ、採光レンズフィルム３４と、被着体であるカバーフィルム３との密着力を向上させることができる。
【００４４】
ここで、採光レンズフィルム３４と、被着体であるカバーフィルム３との密着力を十分に確保する観点から、図４に示す断面において、平坦部３８ｂの幅Ｌ１は、凸条部３８の配列ピッチＬ２の５％以上５０％以下であるのことが望ましい。
ここで、幅Ｌ１が配列ピッチＬ２の５％未満であると、平坦部３８ｂの粘着剤層７との接触面積が十分確保することができず、密着力が十分に得られなくなるので望ましくない。また、幅Ｌ１が配列ピッチＬ２の５０％よりも大きいと、凸条部３８の平坦部３８ｂが大きくなりすぎて、側面（斜面）３８ａの面積が狭くなってしまい、採光レンズフィルム３４の採光性能が低下してしまうので望ましくない。
【００４５】
なお、本実施形態の凸条部３８の平坦部３８ｂには、上述の第２実施形態の凹部２８ｂと同様に、凸条部３８が延在する方向（Ｘ方向）に複数の凹部を備えるようにしてもよい。これにより、採光レンズフィルム３４の凸条部３８と、カバーフィルム３の粘着剤層７との接触面積をより広くすることができ、採光レンズフィルム３４と、被着体であるカバーフィルム３との密着力を更に向上させることができる。
【００４６】
〔他の実施形態〕
以上、本発明の実施に好適な具体的な構成を詳述したが、本発明は、本発明の趣旨を逸脱しない範囲で、上述の実施形態の構成を種々に変更することができる。
【００４７】
（１）上述の各実施形態では、採光レンズフィルム４（２４、３４）は、カバーフィルム３に貼付される例で説明したが、これに限定されるものでなく、カバーフィルム３以外の基材（被着体）、例えば、窓ガラスに対して、粘着剤層を介して貼付されるようにしてもよい。
【符号の説明】
【００４８】
１、２１、３１  採光フィルム
２  セパレータフィルム
３  カバーフィルム
４、２４、３４  採光レンズフィルム
５、７  粘着剤層
６  透明フィルム材
８、２８、３８  凸条部
８ｂ、２８ｂ  凹部
９  基材部
１０  光散乱層
３８Ｂ  平坦部
Ｆ  密着力強化部
【図１】
2020060669.tif 000003
【図２】
2020060669.tif 000004
【図３】
2020060669.tif 000005
【図４】
2020060669.tif 000006